(57)【要約】【課題】比較的小さな水路において、ごみや流木等を確実に掻き揚げすることができる除塵機を提供する。【解決手段】水路方向Ｘと交差する方向に設けたスクリーン２の水路１の上流側に該スクリーン２に沿って上昇するレーキ１１を備える。レーキ１１は直進案内手段１９により昇降自在に保持され、直進案内手段１９は移動体２９に対して水路方向Ｘに回動自在に設けられる。取付けフレーム２０の後方には手動移動用操作部たるハンドル２３を設ける。移動体２９と直進案内手段１９との間に、直進案内手段１９の傾斜駆動手段としての電動式油圧シリンダー装置３３を設ける。レーキ１１をスクリーン２に沿って上昇する前に、レーキ１１をスクリーン２より離して下降することにより、ごみや流木に接触することなくレーキ１１を下降でき、この後にレーキ１１をスクリーンに近づけて上昇させてごみや流木を掻き上げることができる。【選択図】　　　図１
2004036147.tif 000002
【特許請求の範囲】
【請求項１】
水路方向と交差する方向に設けたスクリーンの前記水路の上流側に該スクリーンに沿って上昇するレーキを備えた除塵機において、前記スクリーンの上端の上方に移動案内路を前記スクリーンの幅方向に設け、前記移動案内路に沿って摺動可能な移動体を設け、前記移動体に前記レーキの昇降駆動手段を設けたことを特徴とする除塵機。
【請求項２】
前記レーキは直進案内手段により昇降自在に保持され、前記直進案内手段は前記移動体に対して前記水路方向に回動自在に設けられたことを特徴とする請求項１記載の除塵機。
【請求項３】
前記移動体に手動移動用操作部を設け、前記移動体と前記直進案内手段との間に、前記直進案内手段の傾斜駆動手段を設けたことを特徴とする請求項２記載の除塵機。
【発明の詳細な説明】
【０００１】
【発明の属する技術分野】
本発明は、除塵機に関する。
【０００２】
【発明が解決しようとする課題】
一般に、除塵機は縦向きのスクリーンを水路方向と交差する方向に間隔をおいて複数並設し、前記スクリーンの前記水路の上流側に該スクリーンに沿って上昇するレーキを備えており、スクリーンの上流側に溜まったごみや流木等を、レーキをスクリーンに沿って上昇してごみや流木等を掻き揚げて除去するようになっている。
【０００３】
そして、従来の除塵機は、スクリーンのほぼ全幅にわたってレーキが配置され、スクリーンのほぼ全幅にわたって除塵を行なえるようになっている。このような従来の除塵機においては、スクリーンのほぼ全幅にわたってレーキが配置されるので、装置が大型化となってしまい、この結果、比較的小さな水路においては、除塵機を設置せずに人力によりごみや流木等を掻き揚げて除去したりしている。また、山奥の無人地帯にあるような比較的小さな水路においては、人力によりごみや流木等を冬季間においては掻き揚げて除去することができない。
【０００４】
そこで、本発明は、比較的小さな水路において、ごみや流木等を確実に掻き揚げすることができる除塵機を提供することを目的とする。
【０００５】
【課題を解決するための手段】
請求項１の発明は、水路方向と交差する方向に設けたスクリーンの前記水路の上流側に該スクリーンに沿って上昇するレーキを備えた除塵機において、前記スクリーンの上端の上方に移動案内路を前記スクリーンの幅方向に設け、前記移動案内路に沿って摺動可能な移動体を設け、前記移動体に前記レーキの昇降駆動手段を設けたことを特徴とする除塵機である。
【０００６】
この請求項１の構成によれば、移動案内路に沿って移動体を移動させてスクリーンに掛かったごみや流木に対向するようにレーキを配置すると共に下降し、そしてレーキをスクリーンに沿って上昇することで、ごみや流木を掻き上げることができる。
【０００７】
請求項２の発明は、前記レーキは直進案内手段により昇降自在に保持され、前記直進案内手段は前記移動体に対して前記水路方向に回動自在に設けられたことを特徴とする請求項１記載の除塵機である。
【０００８】
この請求項２の構成によれば、レーキをスクリーンに沿って上昇する前に、レーキをスクリーンより離して下降することにより、ごみや流木に接触することなくレーキを下降でき、この後にレーキをスクリーンに近づけて上昇させてごみや流木を掻き上げることができる。
【０００９】
請求項３の発明は、前記移動体に手動移動用操作部を設け、前記移動体と前記直進案内手段との間に、前記直進案内手段の傾斜駆動手段を設けたことを特徴とする請求項２記載の除塵機である。
【００１０】
この請求項３の構成によれば、手動移動用操作部により移動体を移動案内路に沿って手動で移動した後、傾斜駆動手段を駆動することにより、レーキの下降時においてはレーキをスクリーンより離し、一方レーキの上昇時においてはレーキをスクリーンに近づけることができる。
【００１１】
【発明の実施形態】
以下、本発明の実施形態を添付図を参照して説明する。図１〜図２の第１実施形態に示すように、水路方向Ｘと交差する方向に水路１に設けられるスクリーン２は、縦向きのスクリーンバー３を間隔をおいて複数並設して形成される。尚、スクリーン２の下端４は、水路１の底部５に接続されると共に、作業台６Ａにほぼ連なる上端６は水面７の上方に位置しており、そして、上端６が下端４より後退するようにスクリーンバー３は斜めに設けられている。
【００１２】
スクリーン２における水路１の上流側に設けられ、前記スクリーン２に沿って上昇し前記スクリーン２に掛かったごみや流木を掻き揚げるレーキ１１は、複数間隔をおいて鉤形のレーキ本体１２を複数並設して、その先端１３をスクリーン２側に向けると共に、前記先端１２を隣接するスクリーンバー３の間に挿入している。さらに、レーキ本体１２の上端に位置する基端は、横長な取付け体１４に接続している。また、レーキ本体１３の中央においても横向き部材１５が架設している。前記取付け体１４の左右にはそれぞれ断面が円形で軸状の摺動部材１６が立設している。また取付け体１４の中央部には電動ウインチ等の昇降駆動手段１７におけるワイヤーロープ等の駆動力伝達手段１８が接続している。前記摺動部材１６は縦向きで左右一対に設けられた筒状の摺動案内部材１６Ａに嵌合して貫通している。そして、前記摺動部材１６と摺動案内部材１６Ａによってレーキ１１が直線的に保持された状態で昇降することができる直進案内手段１９が形成される。前記昇降駆動手段１７と摺動案内部材１６Ａは、取付けフレーム２０に一体的に設けられる。取付けフレーム２０は前記左右一対の摺動案内部材１６Ａが兼用されており、その上部間及び下部間を上部及び下部架設部材２１，２２によって連結して形成され、前記昇降駆動手段１７は上部架設部材２１に取付けられている。さらに、取付けフレーム２０の後方、すなわち水路方向Ｘには手動移動用操作部たるハンドル２３が設けられる。このグリップ式バー形のハンドル２３は左右一対の摺動案内部材１６Ａ間を架設するようにしている。また、取付けフレーム２０には、昇降駆動手段１７の上昇用スイッチ２４と、下降用スイッチ２５と、後述する取付けフレーム２０の上向き傾斜スイッチ２６と下向き傾斜スイッチ２７を備えたスイッチ装置２０Ａが設けられている。
【００１３】
前記スクリーン２の上端６の上方には、スクリーン２の幅方向に沿って断面Ｉ型鋼等により形成されガイドレールなどと称する移動案内路２８を設ける。そして、この移動案内路２８に移動体２９を設けると共に、この移動体２９に前記取付けフレーム２０を回動自在に連結する。前記移動体２９は、前記移動案内路２８に正面が矩形の移動フレーム３０が吊下げられるように設けられたものであり、上部の左右に移動案内路２８を滑走するための車輪３１が設けられており、前記左右一対の車輪３１はそれぞれ前記移動案内路２８を挟むように前後一対に設けられて、移動体２９は移動案内路２８を車輪３１によって滑走できるようになっている。そして、移動フレーム３０の左右下部にヒンジ軸３２を介して前記取付けフレーム２０が前後方向、すなわち水路方向Ｘの上流側と下流側の方向に回動できるようになっている。さらに、取付けフレーム２０と移動フレーム３０との間に傾斜駆動手段たる電動式油圧シリンダー装置３３を設ける。移動フレーム３０に回動自在に連結した電動式油圧シリンダー装置３３の伸縮ロッド３４を上部架設部材２１に連結している。尚、３５は移動フレーム３０に設けた電源ボックスである。
【００１４】
次に前記構成についてその作用を説明する。通常時においては昇降駆動手段１７により駆動力伝達手段１８のワイヤーロープを巻上げてレーキ１１を水面７の上方に配置して、ごみや流木がスクリーン２に掛かかるようにする。
【００１５】
そして、掛かったごみや流木を除去する場合は、作業者はまずハンドル２３を握ってごみや流木の上方にレーキ１１が位置するように移動フレーム３０を移動案内路２８に沿って移動させる。次に上向き傾斜スイッチ２６を操作して伸縮ロッド３４を伸長することにより、取付けフレーム２０がヒンジ軸３２を回転中心として回動し、レーキ１１がスクリーン２より離れる。次に下降用スイッチ２５を操作すると昇降駆動手段１７の駆動力伝達手段１８としてのワイヤーロープが繰出されて、レーキ１１は図２の一点鎖線で示すように下降する。この際、摺動部材１６が摺動案内部材１６Ａを摺動することにより、レーキ１１は次第にレーキ１１よりは成れるように直線的に下降する。次に下向き傾斜スイッチ２７を操作すると、伸縮ロッド３４が縮小することにより、図２の実線で示すように取付けフレーム２０がヒンジ軸３２を回転中心として回動し、レーキ１１がスクリーン２に近づく。次に上昇用スイッチ２４を操作すると昇降駆動手段１７の駆動力伝達手段１８としてのワイヤーロープが巻き込まれて、レーキ１１は図２の二点鎖線で示すように上昇すると共に、スクリーン２に掛かったごみや流木を掻き上げることができる。
【００１６】
以上のように、前記実施形態では、水路方向Ｘと交差する方向に設けたスクリーン２の前記水路１の上流側に該スクリーン２に沿って上昇するレーキ１１を備えた除塵機において、前記スクリーン２の上端６の上方に移動案内路２８を前記スクリーン２の幅方向に設け、前記移動案内路２８に沿って摺動可能な移動体２９を設け、前記移動体２９に前記レーキ１１の昇降駆動手段１７を設け、移動案内路２８に沿って移動体２９を移動させてスクリーン２に掛かったごみや流木に対向するようにレーキ１１を配置すると共に下降し、そしてレーキ１１をスクリーン２に沿って上昇することで、ごみや流木を掻き上げることができる。したがって、レーキ１１はスクリーン２の全幅にわたっても設けることはなく、設備の小型化等を図ることができる。
【００１７】
また、前記レーキ１１は直進案内手段１９により昇降自在に保持され、前記直進案内手段１９は前記移動体２９に対して前記水路方向Ｘに回動自在に設けられたことにより、レーキ１１をスクリーン２に沿って上昇する前に、レーキ１１をスクリーン２より離して下降することにより、ごみや流木に接触することなくレーキ１１を下降でき、この後にレーキ１１をスクリーンに近づけて上昇させてごみや流木を掻き上げることができる。したがって、スクリーン２に掛かったごみや流木に接することなくレーキ１１を下降できるので、スクリーン２に掛かったごみや流木を確実に引き上げることができる。
【００１８】
さらに、前記移動体２９に手動移動用操作部たるハンドル２３を設け、前記移動体２９と前記直進案内手段１９との間に、前記直進案内手段１９の傾斜駆動手段としての電動式油圧シリンダー装置３３を設けたことにより、ハンドル２３により移動体２９を移動案内路２８に沿って手動で移動するようにしたので、移動体２９の移動のためのモータ等の駆動駆動源が不要となり、装置の小型化を図ることができる。また電動式油圧シリンダー装置３３を駆動することにより、レーキ１１の下降時においてはレーキ１１をスクリーン２より離し、一方レーキ１１の上昇時においてはレーキ１１をスクリーン２に近づけることができ、スクリーン２に対するレーキ１１の離間状態を簡単に行うことができ、作業効率を向上することができる。
【００１９】
図３は第２実施形態を示しており、前記第１実施形態と同一部分には同一符号を付し、その詳細な説明を省略する。第２実施形態においては、前記直進案内手段１９の傾斜駆動手段を手動のハンドル４１を設けた装置により形成したものであり、後方に配置されるハンドル４１に螺子軸４２を接続し、この螺子軸４２の先端４３を移動フレーム３０に回動自在に突き当て、螺子軸４２の途中を取付けフレーム２０の上部架設部材２１に螺合させたものであって、ハンドル４１を回動することで、螺子軸４２に螺合する上部架設部材２１、ひいては取付けフレーム２０を回動してレーキ１１をスクリーン２より離したり、近づけたりできるようにしたものである。
【００２０】
このように、傾斜駆動手段を手動のハンドル４１としたことにより、装置をより小型化することができる。
【００２１】
尚、本発明は上記実施形態に限定されるものではなく、本発明の要旨の範囲内において、種々の変形実施が可能である。例えば、昇降駆動手段は手動ウインチでもよい。
【００２２】
【発明の効果】
請求項１の発明は、水路方向と交差する方向に設けたスクリーンの前記水路の上流側に該スクリーンに沿って上昇するレーキを備えた除塵機において、前記スクリーンの上端の上方に移動案内路を前記スクリーンの幅方向に設け、前記移動案内路に沿って摺動可能な移動体を設け、前記移動体に前記レーキの昇降駆動手段を設けたことを特徴とする除塵機であり、レーキはスクリーンの全幅にわたっても設けることはなく、設備の小型化等を図ることができる。
【００２３】
請求項２の発明は、前記レーキは直進案内手段により昇降自在に保持され、前記直進案内手段は前記移動体に対して前記水路方向に回動自在に設けられたことを特徴とする請求項１記載の除塵機であり、スクリーンに掛かったごみや流木に接することなくレーキを下降できるので、スクリーンに掛かったごみや流木を確実に引き上げることができる。
【００２４】
請求項３の発明は、前記移動体に手動移動用操作部を設け、前記移動体と前記直進案内手段との間に、前記直進案内手段の傾斜駆動手段を設けたことを特徴とする請求項２記載の除塵機であり、移動体の移動を手動とすることで装置の小型化を図ることができ、またスクリーンに対するレーキの離間状態を簡単に行うことができ、作業効率を向上することができる。
【図面の簡単な説明】
【図１】本発明の第１実施形態を示す斜視図である。
【図２】本発明の第１実施形態を示す断面図である。
【図３】本発明の第２実施形態を示す斜視図である。
【符号の説明】
１　水路
２　スクリーン
６　上端
１１　レーキ
１７　昇降駆動手段
１９　直進案内手段
２３　ハンドル（手動移動用操作部）
２８　移動案内路
２９　移動体
３３　電動式油圧シリンダー装置（傾斜駆動手段）
Ｘ　水路方向
【図１】
2004036147.tif 000003
【図２】
2004036147.tif 000004
【図３】
2004036147.tif 000005